(57)【特許請求の範囲】
【請求項１】
シャッター開閉用開口の両側に配置され、それぞれの対向面部に縦長のパネル昇降ガイド用開口を有する左右一対のガイドレールと、それらのパネル昇降ガイド用開口に両側部が昇降自在に嵌込み係合されて前記両ガイドレール間を昇降する上下複数段のパネルと、当該パネルと前記両ガイドレールとの間の隙間を封止するシール材とを備えたパネルシャッターにおいて、前記各パネルは、上部横枠および下部横枠に比して面落ちした左右の縦框を備え、その縦框に対して前記上部横枠および下部横枠の前後面と面一になる隙間カバーを取り付けると共に、前記各パネルの両端側にはガイドビードからなるシール材を取り付け、当該シール材をパネル全閉時にガイドレールのパネル昇降ガイド用開口の開口端に当接させるように構成したことを特徴とするパネルシャッター。
【発明の詳細な説明】
【０００１】
【発明の属する技術分野】
この発明は、シャッター全閉時にパネルとガイドレールとの間を封止するシール材を備えたパネルシャッターに関するものである。
【０００２】
【従来の技術】
図５は従来のパネルシャッターを示す正面図、図６はそのパネルシャッターの概略的な拡大縦断側面図、図７は図５のＡ−Ａ線に沿う拡大断面図である。
図において、１はシャッター開閉用開口の両側に配置された左右一対のガイドレールであり、これらのガイドレール１はそれぞれの対向面部に縦長のパネル昇降ガイド用開口１ａを有する断面、ほぼコ字状の部材から成っている。
【０００３】
２はガイドレール１の上方に配置されたパネル収納ボックス（以下、収納ボックスという）、３はその収納ボックス２内における前記両ガイドレール１の上方離間に配置された左右一対のパネル昇降駆動系のスプロケット、４はそれらのスプロケットに噛合して両ガイドレール１内に垂下する左右一対のパネル連繋チェーン（以下、単にチェーンという）、５はそれらのチェーン４で両側が支持されて両ガイドレール１間を昇降開閉する上下複数段のパネルであり、これらのパネル５はシャッターカーテンを構成している。
【０００４】
Ｍは前記スプロケット３を正逆回転駆動するギアードモータ等の開閉機、６はガイドレール１から収納ボックス２内に上昇進入してスプロケット３を通過するパネル５を順次並列状態に支持する収納レール、Ｒ１は各パネル５の上部両側に軸支された上部ガイドローラであり、左右のガイドレール１間を上昇してスプロケット３を通過したパネル５の上部ガイドローラＲ１が前記収納レール６上を転動するようになっている。
【０００５】
以上において、両ガイドレール１のパネル昇降ガイド用開口１ａの開口端部には、図７に示すように、各パネル５の両端側における室内側と室外側の前後面部に当接させるためのシール材（ガイドビード）７が取り付けられ、当該シール材７は、前記パネル昇降ガイド用開口１ａの開口端とパネル５との間に生じる隙間を封止するようになっている。
【０００６】
収納ボックス２内にパネル５が収納されたパネル全開状態において、図６中のスプロケット３がパネル繰出方向（図６で反時計廻り方向）に回転駆動されると、そのスプロケット３に噛合したチェーン４を介して各パネル５がガイドレール１間に繰り出されることにより、両ガイドレール１間が各パネル５で閉鎖され、この閉鎖状態では、両ガイドレール１のパネル昇降ガイド用開口１ａの開口端とパネル５との間の隙間がシール材７で封止され、これによってパネル全閉時の遮煙・遮音を図っている。
【０００７】
【発明が解決しようとする課題】
従来のパネルシャッターは以上のように構成され、パネル全閉時にガイドレール１のパネル昇降ガイド用開口１ａの開口端とパネル５との間の隙間を封止するためのシール材７を前記ガイドレール１のパネル昇降ガイド用開口１ａの開口端に取り付けているため、パネル全開時にはガイドレール１側のシール材７が外部に露出して意匠的外観が損なわれるという課題があった。
【０００８】
この発明は上記のような課題を解決するためになされたもので、パネル全閉時にガイドレールとパネルとの間の隙間を封止するためのシール材がパネル全開時に外部に露出しないようにして意匠的美観の向上を図ったパネルシャッターを提供することを目的とする。
【０００９】
この発明に係るパネルシャッターは、シャッター開閉用開口の両側に配置され、それぞれの対向面部に縦長のパネル昇降ガイド用開口を有する左右一対のガイドレールと、それらのパネル昇降ガイド用開口に両側部が昇降自在に嵌込み係合されて前記両ガイドレール間を昇降する上下複数段のパネルと、当該パネルと前記両ガイドレールとの間の隙間を封止するシール材とを備えたパネルシャッターにおいて、前記各パネルは、上部横枠および下部横枠に比して面落ちした左右の縦框を備え、その縦框に対して前記上部横枠および下部横枠の前後面と面一になる隙間カバーを取り付けると共に、前記各パネルの両端側にはガイドビードからなるシール材を取り付け、当該シール材をパネル全閉時にガイドレールのパネル昇降ガイド用開口の開口端に当接させるように構成したものである。
【００１０】
【発明の実施の形態】
以下、この発明の実施の一形態を説明する。図１はこの発明の実施の一形態によるパネルの部分的な正面図、図２は図１の左側面図、図３は左右のガイドレールとパネルの関連構成を示す横断平面図、図４は図３の片側要部を示す拡大断面図であり、図５〜図７と同一または相当部分には同一符号を付して重複説明を省略する。
図において、７は各パネル５の左右両端側における室外側の片面に沿って取り付けられたシール材（ガイドビード）であり、このシール材７は、パネル全閉時にガイドレール１のパネル昇降ガイド用開口１ａの開口端に当接するようになっている。
【００１１】
ここで、各パネル５の詳細な図示例構造について説明すると、各パネル５は、上部横枠５１および下部横枠５２と左右の縦框５３と中間縦框５４とパネル面板５５とから成っており、前記左右の縦框５３は、上部横枠５１および下部横枠５２に比して厚みを薄くした面落ち構成となっている。
【００１２】
このような面落ち構成の縦框５３は、ガイドレール１のパネル昇降ガイド用開口１ａに嵌め込んだ状態において、そのパネル昇降ガイド用開口１ａの開口端との間に大きな隙間が生じるので、その隙間を極小にすべく前記縦框５３には断面コ字状の隙間カバー１１が取り付けられている。
【００１３】
このように左右の縦框５３に取り付けられた隙間カバー１１は、その両側折曲片１１ａの外壁面が上部横枠５１および下部横枠５２の前後面と面一となって前記縦框５３の面落ち部分を覆っている。
【００１４】
以上のように図示した実施の形態において、前記シール材７は、パネル５の左右両端側における左右の縦框５３と上部横枠５１および下部横枠５２のそれぞれに一連に跨ってパネル５の室外側の片面側で高さ方向全体に取り付けられている。なお、前記シール材７はパネル５の左右両端側における前後両面に取り付けてもよい。
【００１５】
【発明の効果】
以上のように、この発明によれば、左右のガイドレール間を昇降開閉するパネルは、上部横枠および下部横枠に比して面落ちした左右の縦框を備え、その縦框に対して前記上部横枠および下部横枠の前後面と面一になる隙間カバーを取り付けると共に、前記各パネルの両端側にはガイドビードからなるシール材を取り付け、当該シール材をパネル全閉時にガイドレールのパネル昇降ガイド用開口の開口端に当接させるように構成したので、上部横枠および下部横枠に比して面落ちした左右の縦框によってガイドレールのパネル昇降ガイド用開口との間に生じる隙間を前記隙間カバーによって極小にすることができると共に、パネル全閉時には前記シール材がガイドレールに残存しないので、ガイドレールにシール材を取り付けていた従来の場合のようにパネル全閉時にシール材が外部に露出するようなことがなく、このため、パネル全閉時の美観がシール材の露出で損なわれるようなことがないという効果がある。
【図面の簡単な説明】
【図１】この発明の実施の一形態によるパネルの部分的な正面図である。
【図２】図１の左側面図である。
【図３】左右のガイドレールとパネルの関連構成を示す横断平面図である。
【図４】図３の片側要部を示す拡大断面図である。
【図５】従来のパネルシャッターを示す正面図である。
【図６】図５の概略的な拡大縦断側面図である。
【図７】図５のＡ−Ａ線に沿う拡大断面図である。
【符号の説明】
１  ガイドレール
１ａ  パネル昇降ガイド用開口
５  パネル
７  シール材
【図１】
0003545153.tif 000002
【図２】
0003545153.tif 000003
【図３】
0003545153.tif 000004
【図４】
0003545153.tif 000005
【図５】
0003545153.tif 000006
【図６】
0003545153.tif 000007
【図７】
0003545153.tif 000008